(57)【特許請求の範囲】
【請求項１】
対を成す第１コイル及び第２コイルを有するコモンモードチョークコイルと、
前記第１コイルの一端に一方の端部が接続された第１パターンと、
前記第２コイルの一端に一方の端部が接続された第２パターンと、を備え、
前記第１パターン及び前記第２パターンは、当該第１パターンが有する抵抗成分と第２パターンが有する抵抗成分の抵抗値の和が所定の抵抗値となるように形成され、かつ、当該第１パターンと第２パターンとの間で所定の容量が形成されるように近接して配置されており、
前記所定の抵抗値は、前記コモンモードチョークコイルの特性インピーダンスと、該コモンモードチョークコイルが実装される差動伝送線路の特性インピーダンスとが整合する値に設定され、
前記所定の容量は、前記差動伝送線路を介して伝送される信号の周波数に応じて、信号波形の歪みを抑制する値に設定される
ことを特徴とする複合フィルタ部品。
【請求項２】
前記第１パターン及び前記第２パターンそれぞれは、抵抗パターン及び／又は導体パターンを含むことを特徴とする請求項１に記載の複合フィルタ部品。
【請求項３】
前記第１パターン及び前記第２パターンそれぞれは、櫛歯状に形成されており、双方の櫛歯状に形成されたパターンが互い違いに入り込むように配置されていることを特徴とする請求項１又は２に記載の複合フィルタ部品。
【請求項４】
前記第１パターン及び前記第２パターンそれぞれは、渦巻状に形成されており、双方の渦巻状に形成されたパターンが所定の間隔を空けて並んで配置されていることを特徴とする請求項１又は２に記載の複合フィルタ部品。
【請求項５】
前記第１パターン及び前記第２パターンそれぞれは、前記コモンモードチョークコイルの表面に形成されていることを特徴とする請求項１〜４のいずれか１項に記載の複合フィルタ部品。
【請求項６】
前記第１パターン及び第２パターンそれぞれは、前記コモンモードチョークコイルの内部に形成されていることを特徴とする請求項１〜４のいずれか１項に記載の複合フィルタ部品。
【請求項７】
前記第１パターンは、前記第１コイルの一端が接続された前記コモンモードチョークコイルの第１外部電極を介して、前記第１コイルと接続され、
前記第２パターンは、前記第２コイルの一端が接続された前記コモンモードチョークコイルの第２外部電極を介して、前記第２コイルと接続されていることを特徴とする請求項１〜６のいずれか１項に記載の複合フィルタ部品。
【請求項８】
前記コモンモードチョークコイルは、巻き線型のコモンモードチョークコイルであることを特徴とする請求項１〜７のいずれか１項に記載の複合フィルタ部品。
【請求項９】
前記コモンモードチョークコイルは、積層型のコモンモードチョークコイルであることを特徴とする請求項１〜７のいずれか１項に記載の複合フィルタ部品。
【発明の詳細な説明】
【技術分野】
【０００１】
本発明は、複合フィルタ部品に関し、特に、コモンモードチョークコイルを用いた複合フィルタ部品に関する。
【背景技術】
【０００２】
従来から、例えば、信号を伝送する一対の差動伝送線路上のコモンモードノイズを除去するために、コモンモードチョークコイルが使用されている。ところで、コモンモードチョークコイルでは、コモンモードノイズを除去する一方、信号波形は劣化させずに通過させることが求められる。そこで、コモンモードチョークコイルを通過する信号波形の劣化を防止するために、コモンモードチョークコイルの特性インピーダンスが、差動伝送線路の特性インピーダンスと整合（マッチング）されていることが重要になる。すなわち、差動伝送線路の特性インピーダンスとコモンモードチョークコイルの特性インピーダンスとが整合されていない場合には、例えば差動伝送線路を流れる信号の一部がコモンモードチョークコイルとの接続部分で反射し、この反射信号に起因して信号の波形が乱れることとなる。
【０００３】
ここで、特許文献１には、磁性又は非磁性のドラムコアの巻線部に巻線距離（ａ）の一対の線材を巻線間隔（ｂ）を設けて巻線するとともに、該一対の線材の端部をそれぞれドラムコアの鍔部に設けられた電極部に接続して構成された巻線型のコモンモードチョークコイルが開示されている。このコモンモードチョークコイルでは、一対の線材の巻線距離（ａ）及び巻線間隔（ｂ）を調節することにより、コモンモードチョークコイルの特性インピーダンスを差動伝送線路の特性インピーダンスと整合させ、信号波形の反射を抑制している。
【先行技術文献】
【特許文献】
【０００４】
【特許文献１】特開２００４−１４６６７１号公報
【発明の概要】
【発明が解決しようとする課題】
【０００５】
上述したように、特許文献１記載のコモンモードチョークコイルによれば、特性インピーダンスの整合を取ることで信号波形への影響を抑制することができる。しかしながら、元の信号波形に歪み（ノーマルモードノイズ）が含まれている場合には、その歪みを含んだ信号波形を通過させてしまう。ここで、通過する信号波形の歪みを低減するために、例えば、コモンモードチョークコイルの入力側端子間、すなわち一対の差動伝送線路間にコンデンサを挿入することも考えられるが、コンデンサを挿入した場合には、特性インピーダンスの整合が崩れ、信号の反射による新たな歪みが生じるおそれがある。
【０００６】
本発明は、上記問題点を解消する為になされたものであり、コモンモードチョークコイルを用いた複合フィルタ部品において、特性インピーダンスを整合するとともに、通過する信号波形の歪みを低減することが可能な複合フィルタ部品を提供することを目的とする。
【課題を解決するための手段】
【０００７】
本発明に係る複合フィルタ部品は、対を成す第１コイル及び第２コイルを有するコモンモードチョークコイルと、第１コイルの一端に一方の端部が接続された第１パターンと、第２コイルの一端に一方の端部が接続された第２パターンとを備え、当該第１パターンが有する抵抗成分と第２パターンが有する抵抗成分の抵抗値の和が所定の抵抗値となるように形成され、かつ、当該第１パターンと第２パターンとの間で所定の容量が形成されるように、第１パターン及び第２パターンが近接して配置されていることを特徴とする。
【０００８】
本発明に係る複合フィルタ部品によれば、第１パターン及び第２パターンにより、所定の抵抗値（抵抗値の和）を持った抵抗、及び所定の容量を持ったコンデンサが形成される。よって、第１コイルの一端と第２コイルの一端との間、すなわちコモンモードチョークコイルの入力端間（又は出力端間）に、直列に接続された抵抗とコンデンサが挿入される。そのため、該コンデンサにより、高周波成分を持つ波形歪みが複合フィルタ部品を通過することが抑制されるとともに、インピーダンス整合された抵抗により信号の反射が抑制される。その結果、特性インピーダンスを整合するとともに、通過する信号波形の歪みを低減することが可能となる。
【０００９】
本発明に係る複合フィルタ部品では、第１パターン及び第２パターンそれぞれが、抵抗パターン及び／又は導体パターンを含むことが好ましい。
【００１０】
このようにすれば、双方のパターン間の容量を所定（目標）の容量に合わせるとともに、双方のパターンの抵抗値の和を所定（目標）の抵抗値に合わせ込むことができる。なお、抵抗及びコンデンサそれぞれの値を適切に調整することで、信号波形に含まれる波形の通過を抑制しつつ信号の反射を効果的に防止することができる。
【００１１】
本発明に係る複合フィルタ部品では、第１パターン及び第２パターンそれぞれが、櫛歯状に形成されており、双方の櫛歯状に形成されたパターンが互い違いに入り込むように配置されていることが好ましい。このようにすれば、櫛歯状に形成された双方のパターンの間で効率よく容量を形成することができる。
【００１２】
本発明に係る複合フィルタ部品では、第１パターン及び第２パターンそれぞれが、渦巻状に形成されており、双方の渦巻状に形成されたパターンが所定の間隔を空けて並んで配置されていることが好ましい。このようにすれば、渦巻状に形成された双方のパターンの間で効率よく容量を形成することができる。
【００１３】
本発明に係る複合フィルタ部品では、第１パターン及び第２パターンそれぞれが、コモンモードチョークコイルの表面に形成されていることが好ましい。このようにすれば、パターンや配線の形成等を比較的容易に行うことができる。なお、第１パターン及び第２パターンそれぞれは、コモンモードチョークコイルの内部に形成されていてもよい。
【００１４】
本発明に係る複合フィルタ部品では、第１パターンが、第１コイルの一端が接続されたコモンモードチョークコイルの第１外部電極を介して、第１コイルと接続され、第２パターンが、第２コイルの一端が接続されたコモンモードチョークコイルの第２外部電極を介して、第２コイルと接続されていることが好ましい。
【００１５】
このようにすれば、第１コイルの一端が接続された第１外部電極を介することにより、第１パターンと第１コイルとを比較的容易に接続することができる。同様に、第２コイルの一端が接続された第２外部電極を介することにより、第２パターンと第２コイルとを比較的容易に接続することができる。
【００１６】
なお、本発明に係る複合フィルタ部品では、該複合フィルタ部品を構成するコモンモードチョークコイルとして、巻線型のコモンモードチョークコイル、又は、積層型のコモンモードチョークコイルを好適に用いることができる。
【発明の効果】
【００１７】
本発明によれば、コモンモードチョークコイルを用いた複合フィルタ部品において、特性インピーダンスを整合するとともに、通過する信号波形の歪みを低減することが可能となる。
【図面の簡単な説明】
【００１８】
【図１】第１実施形態に係る複合フィルタ部品の全体構成を示す斜視図である。
【図２】第１実施形態に係る複合フィルタ部品の等価回路を示す図である。
【図３】第２実施形態に係る複合フィルタ部品の全体構成を示す斜視図である。
【図４】第２実施形態に係る複合フィルタ部品の等価回路を示す図である。
【図５】信号波形の測定システム（信号波形評価系）の構成を示す図である。
【図６】第１比較例に係るフィルタ部品の回路図である。
【図７】第２比較例に係るフィルタ部品の回路図である。
【図８】第２実施形態に係る複合フィルタ部品、第１比較例、及び第２比較例それぞれを用いた場合の信号波形の測定結果を示すグラフである。
【図９】第３実施形態に係る複合フィルタ部品の全体構成を示す斜視図である。
【図１０】第４実施形態に係る複合フィルタ部品の全体構成を示す斜視図である。
【発明を実施するための形態】
【００１９】
以下、図面を参照して本発明の好適な実施形態について詳細に説明する。なお、各図において、同一要素には同一符号を付して重複する説明を省略する。
【００２０】
（第１実施形態）
まず、図１及び図２を併せて用いて、第１実施形態に係る複合フィルタ部品１の構成について説明する。図１は、複合フィルタ部品１の全体構成（外観）を示す斜視図である。また、図２は、複合フィルタ部品１の等価回路を示す図である。
【００２１】
複合フィルタ部品１は、コモンモードチョークコイル１０、及び、該コモンモードチョークコイル１０の上面に形成された一対の第１パターン１１並びに第２パターン１２を備えている。
【００２２】
コモンモードチョークコイル１０は、表面実装タイプの巻線型コモンモードチョークコイルであり、磁性コア１３と、４つの外部電極１４１，１４２，１４３，１４４と、一対の巻線１５，１６と、天板１７とを有している。
【００２３】
磁性コア１３は、例えばＭｎ−Ｚｎ系フェライトやＮｉ−Ｚｎ系フェライト等のフェライトで形成されており、中央の巻芯部１３１と、その両端に形成された一対の鍔部１３２，１３３とを含んで構成されている。
【００２４】
外部電極１４１，１４２（１４３，１４４）それぞれは、鍔部１３２（１３３）の両側の下端部（脚部）から両側の側面部にかけて形成されている。なお、外部電極１４１，１４２（１４３，１４４）は、例えば、金属メッキや、金属ペーストの焼付け等により形成される。
【００２５】
一対の巻線１５，１６は、それぞれ銅線を絶縁膜で被覆して成るラインであり、磁性コア１３の巻芯部１３１に巻回されている。巻線１５，１６の一方の端部１５ａ，１６ａそれぞれは、外部電極１４１，１４２側に引き出されて、該外部電極１４１，１４２にそれぞれ接続されている。また、巻線１５，１６の他方の端部１５ｂ，１６ｂは、外部電極１４３，１４４側に引き出されて、該外部電極１４３，１４４にそれぞれ接続されている。ここで、巻線１５は特許請求の範囲に記載の第１コイルに相当し、巻線１６は、特許請求の範囲に記載の第２コイルに相当する。よって、以下、巻線１５を第１コイル１５といい、巻線１６を第２コイル１６ということもある。
【００２６】
天板１７は、例えばＭｎ−Ｚｎ系フェライトやＮｉ−Ｍｎ系フェライト等のフェライトで矩形の板状に形成され、一対の鍔部１３２，１３３に接着剤等で接合されている。
【００２７】
天板１７の上面には、互いに対向する一対の第１パターン１１及び第２パターン１２が形成されている。第１パターン１１の一方の端部は、外部電極１４１（特許請求の範囲に記載の第１外部電極に相当）に接続されている。すなわち、第１パターン１１の一方の端部は、該外部電極１４１を介して、第１コイル１５の一端１５ａと接続されている。一方、第２パターン１２の一方の端部は、外部電極１４２（特許請求の範囲に記載の第２外部電極に相当）に接続されている。すなわち、第２パターン１２の一方の端部は、該外部電極１４２を介して、第２コイルの一端１６ａと接続されている。
【００２８】
第１パターン１１及び第２パターン１２それぞれは、櫛歯状に形成された配線パターンであり、双方の櫛歯状に形成されたパターンが互い違いに入り込むように配置されている。第１パターン１１及び第２パターン１２それぞれは、抵抗成分を含有する抵抗ペーストからなり、該第１パターン１１が有する抵抗成分と第２パターン１２が有する抵抗成分の抵抗値の和が所定の抵抗値（例えば１００Ω）となるように形成されている。ここで、上記所定の抵抗値（抵抗値の和）は、コモンモードチョークコイル１０の特性インピーダンスと差動伝送線路の特性インピーダンスとが整合する値に設定される。
【００２９】
なお、第１パターン１１及び第２パターン１２は、抵抗値の和が所定値（例えば１００Ω）となるように形成されていればよく、各パターンそれぞれは、抵抗パターンであっても、導体パターンであってもよく、また抵抗パターンと導体パターンとが混在していてもよい。
【００３０】
また、第１パターン１１及び第２パターン１２は、該第１パターン１１と第２パターン１２との間で所定の容量（例えば０．５ｐＦ）が形成されるように、近接して配置されている。ここで、上記所定の容量は、信号の周波数等に応じて、信号波形の歪み（ノーマルモードノイズ）を抑制するために適した値に設定される。
【００３１】
ここで、第１パターン１１及び第２パターン１２は、例えば、抵抗成分を含有する抵抗ペースト（抵抗材）を塗布して焼き付けることにより、若しくは、乾式めっき等により形成することができる。なお、抵抗成分としては、例えば、Ｉｎ−Ｓｎ複合酸化物（ＩＴＯ）、Ｌａ−Ｃｕ複合酸化物、Ｓｒ−Ｆｅ複合酸化物、Ｃａ−Ｓｒ−Ｒｕ複合酸化物などの複合酸化物が用いられる。また、Ｎｉ，Ｃｕ、Ｍｏ、Ｃｒ、Ｎｂなどの金属や、Ａｌ２Ｏ３、ＴｉＯ２、ＺｒＯ２、ＺｎＯ２などの金属酸化物を添加することにより、比抵抗等を調整することができる。すなわち、第１パターン１１及び第２パターン１２の抵抗値を調節することができる。
【００３２】
上述したように第１パターン１１及び第２パターン１２が形成されることにより、該第１パターン１１及び第２パターン１２によって、所定の抵抗値（抵抗値の和）を持った抵抗１１２Ｒ、及び所定の容量を持ったコンデンサ１１２Ｃが形成される。よって、図２の等価回路に示されるように、第１コイル１５の一端１５ａと第２コイル１６の一端１６ａとの間、すなわちコモンモードチョークコイル１０の入力ライン間（又は出力ライン間）に、直列に接続された抵抗１１２Ｒとコンデンサ１１２Ｃが挿入されることとなる。
【００３３】
このような構成を有することにより、本実施形態によれば、高周波成分を持つ波形歪み（ノーマルモードノイズ）がコンデンサ１１２Ｃによって複合フィルタ部品１を通過することが抑制されるとともに、インピーダンス整合された抵抗１１２Ｒにより信号の反射が抑制される。
【００３４】
その結果、本実施形態によれば、特性インピーダンスを整合するとともに、通過する信号波形の歪みを低減することが可能となる。
【００３５】
また、本実施形態によれば、第１パターン１１及び第２パターン１２それぞれが、櫛歯状に形成されており、双方の櫛歯状に形成されたパターンが互い違いに入り込むように配置されているため、櫛歯状に形成された双方のパターンの間で効率よく（例えばより狭い面積で）容量を形成することができる。
【００３６】
本実施形態によれば、第１パターン１１及び第２パターン１２それぞれが、コモンモードチョークコイル１０の表面に形成されているため、パターンや配線の形成等を比較的容易に行うことができる。
【００３７】
また、本実施形態によれば、第１パターン１１が、外部電極１４１を介して第１コイル１５と接続されるため、第１パターン１１と第１コイル１５とを比較的容易に接続することができる。同様に、第２パターン１２が、外部電極１４２を介して第２コイル１６と接続されるため、第２パターン１２と第２コイル１６とを比較的容易に接続することができる。
【００３８】
（第２実施形態）
上記第１実施形態では、複合フィルタ部品１を構成するコモンモードチョークコイル１０として、巻線型のコモンモードチョークコイルを用いたが、積層型（薄膜型）のコモンモードチョークコイルを用いてもよい。そこで、次に、図３及び図４を併せて用いて、積層型のコモンモードチョークコイル２０を用いた第２実施形態に係る複合フィルタ部品２の構成について説明する。図３は、複合フィルタ部品２の全体構成（外観）を示す斜視図である。また、図４は、複合フィルタ部品２の等価回路を示す図である。
【００３９】
複合フィルタ部品２は、積層型のコモンモードチョークコイル２０、及び、該コモンモードチョークコイル２０の上面に形成された一対の第１パターン２１並びに第２パターン２２を備えている。
【００４０】
コモンモードチョークコイル２０は、例えば、第１コイル２５を構成するコイルパターンが形成された絶縁層（絶縁シート）、及び、第２コイル２６を構成するコイルパターンが形成された絶縁層（絶縁シート）を含む複数の絶縁層の積層体２３が磁性層（磁性基板）２７，２８によって挟み込まれた構成を有している。
【００４１】
コモンモードチョークコイル２０の側面には、第１コイル２５の端部２５ａ，２５ｂに接続される外部電極（側面電極）２４１，２４３、及び、第２コイル２６の端部２６ａ，２６ｂに接続される外部電極（側面電極）２４２，２４４が形成されている。これら外部電極２４１〜２４４の各下端部はそれぞれコモンモードチョークコイル２０の底面に回り込み形成されている。
【００４２】
コモンモードチョークコイル２０（磁性層２７）の上面には、互いに対向する一対の第１パターン２１及び第２パターン２２が形成されている。第１パターン２１の一方の端部は、外部電極２４１（特許請求の範囲に記載の第１外部電極に相当）に接続されている。すなわち、第１パターン２１一方の端部は、該外部電極２４１を介して、第１コイル２５の一端２５ａと接続されている。一方、第２パターン２２の一方の端部は、外部電極２４２（特許請求の範囲に記載の第２外部電極に相当）に接続されている。すなわち、第２パターン２２一方の端部は、該外部電極２４２を介して、第２コイルの一端２６ａと接続されている。
【００４３】
ここで、第１パターン２１及び第２パターン２２それぞれは、上述した、コモンモードチョークコイル１０を構成する天板１７の上面に形成された第１パターン１１及び第２パターン１２と同一又は同様であるので、ここでは、詳細な説明を省略する。
【００４４】
本実施形態においても、第１パターン２１及び第２パターン２２によって、所定の抵抗値（抵抗値の和、例えば１００Ω）を持った抵抗２１２Ｒ、及び所定の容量（例えば０．５ｐＦ）を持ったコンデンサ２１２Ｃが形成される。よって、図４の等価回路に示されるように、第１コイル２５の一端２５ａと第２コイル２６の一端２６ａとの間、すなわちコモンモードチョークコイル２０の入力ライン間（又は出力ライン間）に、直列に接続された抵抗２１２Ｒとコンデンサ２１２Ｃが挿入されることとなる。
【００４５】
続いて、図５〜８を用いて、本実施形態に係る複合フィルタ部品２及び比較用のフィルタ部品９１，９２（第１比較例、第２比較例）それぞれのノイズ低減効果について、測定結果を示して説明する。ここでは、比較用のフィルタ部品９１（第１比較例）として、図６に示される、コモンモードチョークコイル２０のみからなるもの、すなわち、入力ライン間に抵抗もコンデンサも挿入されていないものを用いた。また、比較用のフィルタ部品９２（第２比較例）として、図７に示される、コモンモードチョークコイル２０の入力ライン間に容量が０．５ｐＦのコンデンサＣのみが挿入されたものを用いた。
【００４６】
そして、抵抗２１２Ｒ（１００Ω）及びコンデンサ２１２Ｃ（０．５ｐＦ）の有無による信号波形の改善度合い、すなわちノイズ低減効果を評価した。なお、図５は、信号波形の測定システム（信号波形評価系）９０を示す図である。また、図８は、複合フィルタ部品２及び比較用のフィルタ部品９１，９２それぞれを用いた場合の信号波形の測定結果を示すグラフである。まず、図５を参照しつつ、信号波形の測定システム９０について説明する。
【００４７】
同図に示されるように、信号波形の測定システム９０は、一対の差動伝送線路Ｄ＋，Ｄ−間に速度１Ｇｂｐｓの差動信号を発生させる信号源９３を備えている。この一対の差動伝送線路Ｄ＋，Ｄ−それぞれには、長さ１ｍの同軸ケーブル９６，９７の一端が接続されている。一方、該同軸ケーブル９６，９７の他端は、複合フィルタ部品２（又は比較例のフィルタ部品９１，９２）の入力端子２４１，２４２に接続されている。また、複合フィルタ部品２（又は比較例のフィルタ部品９１，９２）の出力端子２４３，２４４それぞれには、５０Ωの終端抵抗９８，９９が接続されている。
【００４８】
そして、複合フィルタ部品２（又は比較例のフィルタ部品９１，９２）と終端抵抗９８，９９との間（図５中の波形測定位置）において、差動伝送線路Ｄ＋，Ｄ−間の差動信号の信号波形を測定し、その測定結果から、複合フィルタ部品２及び比較用のフィルタ部品９１，９２（第１比較例、第２比較例）それぞれのノイズ低減効果を評価した。
【００４９】
上述した測定システム９０を用いて測定した、複合フィルタ部品２及び比較用のフィルタ部品９１，９２（第１比較例、第２比較例）それぞれを用いた場合の信号波形の測定結果を図８に示す。図８に示されたグラフの横軸は時間（ｎｓｅｃ）であり、縦軸は電圧（Ｖ）である。
また、図８のグラフでは、複合フィルタ部品２を用いた場合の測定結果を実線で、フィルタ部品９１（第１比較例）を用いた場合の測定結果を破線で示した。また、フィルタ部品９２（第２比較例）を用いたときの測定結果を一点鎖線で示した。
【００５０】
図８に破線で示されるように、フィルタ部品９１（第１比較例）を使用した場合には、信号の立ち上がり直後及び立下り直後に波形歪みの発生が確認された（図８中の破線の円内参照）。また、図８に一点鎖線で示されるように、フィルタ部品９２（第２比較例）を用いたときには、立ち上がり直後及び立下り直後の歪みは低減されたが、信号の反射によって新たな歪みが発生することが確認された（図８中の一点鎖線の円内参照）。一方、本実施形態に係る複合フィルタ部品２を用いた場合には、立ち上がり、立下り時の歪みが抑制され、かつ、反射による新たなひずみも発生しないことが確認できた。
【００５１】
以上、本実施形態によれば、上述した複合フィルタ部品１と同様に、第１パターン２１及び第２パターン２２により形成されたコンデンサ２１２Ｃによって高周波成分を持つ波形歪みが通過することを抑制しつつ、インピーダンス整合された抵抗２１２Ｒによって信号の反射を抑制することができる。
【００５２】
また、本実施形態によれば、積層型のコモンモードチョークコイル２０を用いることにより、部品をより小型化、低背化することができる。
【００５３】
（第３実施形態）
上記第２実施形態では、第１パターン２１及び第２パターン２２それぞれを櫛歯状に形成したが、該第１パターン２１及び第２パターン２２の形状は櫛歯状以外の形状であってもよい。そこで、次に、図９を参照しつつ、第３実施形態に係る複合フィルタ部品３の構成について説明する。図９は、複合フィルタ部品３の全体構成（外観）を示す斜視図である。なお、図９において第２実施形態と同一又は同等の構成要素については同一の符号が付されている。
【００５４】
複合フィルタ部品３は、図９に示されるように、第１パターン３１及び第２パターン３２それぞれが、渦巻状に形成されており、双方の渦巻状に形成されたパターンが所定の間隔を空けて並んで配置されている点で上述した複合フィルタ部品２と異なっている。その他の構成は上述した複合フィルタ部品２と同一又は同様であるので、ここでは詳細な説明を省略する。なお、本明細書中において「渦巻状」という文言は、完全な渦巻き形状のみならず、図９に示された第１パターン３１及び第２パターン３２のような、逆Ｃ字状、すなわち不完全な渦巻き形状をも含むものとする。
【００５５】
本実施形態によっても、上述した複合フィルタ部品１，２と同等の効果を奏することができる。すなわち、特性インピーダンスを整合するとともに、通過する信号波形の歪みを低減することが可能となる。
【００５６】
また、本実施形態によれば、渦巻状に形成された双方のパターンの間で効率よく（例えばより狭い面積で）容量を形成することができる。
【００５７】
（第４実施形態）
上記第２実施形態では、第１パターン２１及び第２パターン２２それぞれが、抵抗成分を含有する抵抗ペーストからなる抵抗パターンであったが、該第１パターン２１及び第２パターン２２それぞれは、例えば導電性ペーストからなる導体パターンを含んでいてもよい。そこで、次に、図１０を参照しつつ、第４実施形態に係る複合フィルタ部品４の構成について説明する。図１０は、複合フィルタ部品４の全体構成（外観）を示す斜視図である。なお、図１０において第２実施形態と同一又は同等の構成要素については同一の符号が付されている。
【００５８】
複合フィルタ部品４は、図１０に示されるように、第１パターン４１が、抵抗ペーストからなる根本部４１ａと導電性ペーストからなる櫛歯部４１ｂを有して構成されている点で上述した複合フィルタ部品２と異なっている。同様に、第２パターン４２が、抵抗ペーストからなる根本部４２ａと導電性ペーストからなる櫛歯部４２ｂを有して構成されている点で上述した複合フィルタ部品２と異なっている。その他の構成は上述した複合フィルタ部品２と同一又は同様であるので、ここでは詳細な説明を省略する。
【００５９】
なお、ここで、第１パターン４１及び第２パターン４２は、抵抗値の和が所定値（例えば１００Ω）となるように形成されていればよく、例えば、根本部４１ａ（４２ａ）が導電性ペーストにより形成され、櫛歯部４１ｂ（４２ｂ）が抵抗ペーストにより形成されていてもよい。また、第１パターン４１（又は第２パターン４２）全体が導電性ペーストによって形成され、第２パターン４２（又は第１パターン４１）全体が抵抗ペーストによって形成されていてもよい。さらに、これらのパターンが組み合わされて構成されていてもよい。
【００６０】
本実施形態によっても、上述した複合フィルタ部品１，２と同等の効果を奏することができる。すなわち、特性インピーダンスを整合するとともに、通過する信号波形の歪みを低減することが可能となる。
【００６１】
また、本実施形態によれば、双方のパターン４１，４２間の容量を所定（目標）の容量に合わせるとともに、双方のパターン４１，４２の抵抗値の和を所定（目標）の抵抗値に合わせ込むことができる。なお、抵抗及びコンデンサそれぞれの値を適切に調整することで、信号波形に含まれる波形歪みの通過を抑制しつつ信号の反射を効果的に防止することができる。
【００６２】
以上、本発明の実施の形態について説明したが、本発明は、上記実施形態に限定されるものではなく種々の変形が可能である。例えば、上記実施形態では、第１パターン１１〜４１、第２パターン１２〜４２の形状を櫛歯状又は渦巻状に形成したが、これらのパターンの形状は、櫛歯状や渦巻状には限られない。また、櫛歯状パターンの櫛歯の数や各櫛歯状パターンの間隔、及び、渦巻状パターンの長さや各渦巻状パターンの間隔等は、例えば仕様などにより要求される抵抗値・静電容量に応じて任意に決定することができる。
【００６３】
また、上記実施形態では、第１パターン１１〜４１及び第２パターン１２〜４２を、巻線型のコモンモードチョークコイル１０を構成する天板１７の上面又は積層型のコモンモードチョークコイル２０を構成する磁性層２７の上面（すなわち部品の表面）に形成したが、第１パターン１１〜４１及び第２パターン１２〜４２は、天板１７の裏面、磁性層２７の裏面、又は積層体２３の内層等（すなわち部品の内部）に形成してもよい。
【符号の説明】
【００６４】
１，２，３，４  複合フィルタ部品
１０，２０  コモンモードチョークコイル
１１，２１，３１，４１  第１パターン
１２，２２，３２，４２  第２パターン
４１ａ，４２ａ  根本部
４１ｂ，４２ｂ  櫛歯部
１１２Ｒ，２１２Ｒ  抵抗
１１２Ｃ，２１２Ｃ  コンデンサ
１４１，１４２，１４３，１４４，２４１，２４２，２４３，２４４  外部電極
１５，１６  巻線（第１コイル，第２コイル）
１７  天板
２３  積層体
２５  第１コイル
２６  第２コイル
２７，２８  磁性層
【図１】
0006015039.tif 000002
【図２】
0006015039.tif 000003
【図３】
0006015039.tif 000004
【図４】
0006015039.tif 000005
【図５】
0006015039.tif 000006
【図６】
0006015039.tif 000007
【図７】
0006015039.tif 000008
【図８】
0006015039.tif 000009
【図９】
0006015039.tif 000010
【図１０】
0006015039.tif 000011